(57)【要約】【課題】支持部材の耐久性を向上させることができ、潤滑装置のコストを低くすることができるようにする。【解決手段】駆動部と、該駆動部を駆動することによって回転させられ、筒状部を備えた第１の回転体と、前記筒状部に一端が収納され、前記第１の回転体に対して回転自在に配設された第２の回転体と、第１の回転体に対して第２の回転体を支持する支持部材と、該支持部材を潤滑する潤滑剤を収容する潤滑剤室と、該潤滑剤室に潤滑剤を供給するための潤滑剤供給路１１８と、前記潤滑剤室を密封する密封部材とを有する。この場合、潤滑剤室に潤滑剤が供給され、潤滑剤室が密封されるので、第１、第２の回転体が回転させられるのに伴って、潤滑剤室内の潤滑剤に遠心力が加わっても、支持部材を十分に潤滑することができる。【選択図】　　　　　図１
2004092842.tif 000002
【特許請求の範囲】
【請求項１】
（ａ）駆動部と、
（ｂ）該駆動部を駆動することによって回転させられ、筒状部を備えた第１の回転体と、
（ｃ）前記筒状部に一端が収納され、前記第１の回転体に対して回転自在に配設された第２の回転体と、
（ｄ）前記第１の回転体に対して第２の回転体を支持する支持部材と、
（ｅ）該支持部材を潤滑する潤滑剤を収容する潤滑剤室と、
（ｆ）該潤滑剤室に潤滑剤を供給するための潤滑剤供給路と、
（ｇ）前記潤滑剤室を密封する密封部材とを有することを特徴とする潤滑装置。
【請求項２】
前記支持部材は前記第１の回転体の軸方向において複数配設される請求項１に記載の潤滑装置。
【請求項３】
前記潤滑剤室は、前記第２の回転体の端部に配設された支持部材と前記第１の回転体との間に第１の潤滑剤室として形成される請求項２に記載の潤滑装置。
【請求項４】
前記潤滑剤室は、前記支持部材間に第２の潤滑剤室として形成される請求項２に記載の潤滑装置。
【請求項５】
前記第１の回転体は、連結体及び筒状の支持体から成り、第１の潤滑剤室は、前記連結体と第２の回転体の端部に配設された支持部材と第２の回転体との間に形成される請求項３に記載の潤滑装置。
【請求項６】
前記第１の回転体は、連結体及び筒状の支持体から成り、第２の潤滑剤室は、前記支持体と複数の支持部材と第２の回転体との間に形成される請求項４に記載の潤滑装置。
【請求項７】
前記密封部材は、前記第１の回転体と前記第２の回転体との間に配設される請求項１に記載の潤滑装置。
【請求項８】
前記潤滑剤室への潤滑剤の供給口は、前記第１の回転体に形成される請求項１に記載の潤滑装置。
【発明の詳細な説明】
【０００１】
【発明の属する技術分野】
本発明は、潤滑装置に関するものである。
【０００２】
【従来の技術】
従来、射出成形機においては、射出装置の加熱シリンダ内にスクリューが回転自在に、かつ、進退自在に配設され、計量用モータ、射出用モータ等を駆動することによって前記スクリューを回転させたり、進退させたりすることができるようになっている。そして、計量工程において、スクリューを回転させると、ホッパから加熱シリンダ内に供給された樹脂が、加熱され、溶融させられて前進させられ、前記スクリューの前端に取り付けられたスクリューヘッドの前方に蓄えられる。また、射出工程において、スクリューを前進させると、前記スクリューヘッドの前方に蓄えられ、溶融させられた樹脂が、射出ノズルから射出され、金型装置のキャビティ空間に充填（てん）される（例えば、特許文献１参照。）。
【０００３】
ここで、射出装置について説明する。
【０００４】
図２は射出装置の要部を示す断面図である。
【０００５】
図において、１１は加熱シリンダ、１２はスクリューであり、前記加熱シリンダ１１の後端（図において右端）は、前方射出サポート２１に取り付けられる。前記スクリュー１２の後端には、カプラ５９を介して連結体６４が一体的に取り付けられ、該連結体６４に筒状の支持体６５が取り付けられる。なお、前記連結体６４及び支持体６５によって、スクリュー１２と一体に回転する回転摺動部材６８が構成される。前記支持体６５は、軸方向においてスクリュー１２のストローク分の長さを有し、外周面に雄スプライン６７が形成される。
【０００６】
前記回転摺動部材６８に回転を伝達するために、前記前方射出サポート２１の後端に計量用モータ２２が配設され、該計量用モータ２２は、前記前方射出サポート２１に固定された前部環状体２０、該前部環状体２０に取り付けられたスリーブ２３、該スリーブ２３の後端に取り付けられた後部環状体２４、前記スリーブ２３の内側に取り付けられたステータ２５、及び該ステータ２５の径方向における内方に配設された筒状のロータ２６を備え、該ロータ２６の後端にスプラインナット２７が取り付けられる。
【０００７】
前記ロータ２６は、回転摺動部材６８と同一軸線上に、かつ、回転摺動部材６８を相対的に移動自在に外周面を覆うように配設された中空の筒状体２９、及び該筒状体２９の外周面における前記ステータ２５と対応する箇所に取り付けられた磁石２８を備え、計量用モータ２２の出力軸として機能し、前記前部環状体２０に対してベアリングｂ１によって、後部環状体２４に対してベアリングｂ２によって回転自在に支持される。
【０００８】
前記スプラインナット２７は、回転摺動部材６８の軸方向における相対的な移動を許容しながら、前記計量用モータ２２によって発生させられた回転を回転摺動部材６８に伝達したり、前記計量用モータ２２を駆動し、発生させられた拘束力を回転摺動部材６８に伝達し、該回転摺動部材６８が回転するのを拘束したりする。そのために、該回転摺動部材６８は、前記スプラインナット２７に対して回転不能に、かつ、軸方向に移動自在に配設される。また、前記筒状体２９の前端（図において左端）において、筒状体２９の内周面と連結体６４の外周面とがシール３０を介して摺動自在に接触させられる。また、前記支持体６５の後端において、スプラインナット２７の内周面に形成された雌スプラインと前記雄スプライン６７とが摺動自在にスプライン係合させられる。
【０００９】
したがって、前記計量用モータ２２を駆動することによってロータ２６を回転させると、回転がスプラインナット２７を介して前記回転摺動部材６８に伝達され、該回転摺動部材６８が正方向、又は、必要に応じて逆方向に回転させられ、スクリュー１２が回転させられる。さらに、前記計量用モータ２２を駆動して拘束力を発生させ、ロータ２６を停止させると、回転摺動部材６８に伝達される回転が拘束され、スクリュー１２の回転も拘束される。
【００１０】
そして、前記前方射出サポート２１より後方（図において右方）に、互いに螺（ら）合させられたボールねじ軸８１及び図示されないボールナットから成る運動方向変換部としてのボールねじが配設される。前記ボールねじ軸８１は、前端から後端にかけて順次形成された小径のシャフト部８４、大径のねじ部８５等から成り、前記シャフト部８４とねじ部８５との段部に環状フランジ部材８９が外嵌（かん）される。
【００１１】
そして、前記前方射出サポート２１より後方に図示されない後方射出サポートが配設され、該後方射出サポートに図示されない射出用モータが配設され、該射出用モータは、射出工程において駆動され、前記ボールねじ軸８１に回転を伝達する。前記ボールねじは、前記射出用モータによって発生させられた回転による回転運動を直進運動に変換し、該直進運動を前記回転摺動部材６８に伝達する。
【００１２】
そのために、前記ボールねじ軸８１は、前端において、互いに所定の距離を置いて配設され、スラストベアリングから成る第１、第２の支持部材としてのベアリングｂ７、ｂ８によって、回転摺動部材６８に対して回転自在に、かつ、軸方向に移動不能に支持され、後端において、前記ボールナットに対して回転自在に螺合させられ、支持される。すなわち、前記回転摺動部材６８は、前記ボールねじに対して回転自在に、かつ、軸方向に移動不能に配設される。また、前記シャフト部８４の前端部（図において左端部）に図示されない雄ねじが形成され、該雄ねじに螺合させてベアリングナット８０が配設される。該ベアリングナット８０は、支持体６５の前端の近傍の内周面に形成された突起９０と共にベアリングｂ７を位置決めする。また、前記環状フランジ部材８９は、支持体６５と共にベアリングｂ８を位置決めする。
【００１３】
ところで、スプラインナット２７と支持体６５との間のスプライン係合部、ベアリングｂ７、ｂ８等をグリス等の潤滑剤によって潤滑することが考えられる。そのために、前記後部環状体２４の内周面における後端とスプラインナット２７の外周面とがシール３１を介して摺動自在に接触させられ、前記後部環状体２４、スプラインナット２７、筒状体２９、ベアリングｂ２及びシール３１間に第１の潤滑剤室３２が形成され、前記後部環状体２４の外周面の所定の箇所に潤滑剤供給口１０１が形成され、該潤滑剤供給口１０１と第１の潤滑剤室３２とが潤滑剤供給路１０２によって接続される。また、前記筒状体２９、回転摺動部材６８、スプラインナット２７及びシール３０間に第２の潤滑剤室３３が形成され、第１、第２の潤滑剤室３２、３３間が筒状体２９に形成された潤滑剤供給路１０３によって接続される。そして、回転摺動部材６８、ボールねじ軸８１、フランジ部材８９及びベアリングｂ７、ｂ８間に第３の潤滑剤室３４が形成され、第２、第３の潤滑剤室３３、３４間が回転摺動部材６８に形成された潤滑剤供給路１０４によって接続される。
【００１４】
図示されない潤滑剤供給源から潤滑剤供給口１０１に自動給脂によって供給された潤滑剤は、矢印方向に潤滑剤供給路１０２を介して第１の潤滑剤室３２に供給され、続いて、潤滑剤供給路１０３を介して第２の潤滑剤室３３に供給され、前記スプライン係合部を潤滑し、更に第２の潤滑剤室３３内を矢印方向に流れた後、潤滑剤供給路１０４を介して第３の潤滑剤室３４に供給され、ベアリングｂ７、ｂ８を潤滑する。
【００１５】
【特許文献１】
特開平１０−２３５６９６号公報
【００１６】
【発明が解決しようとする課題】
しかしながら、前記構成の射出装置においては、スプラインナット２７、筒状体２９、回転摺動部材６８、ボールねじ軸８１等が回転させられるのに伴って、潤滑剤供給路１０３、１０４内の潤滑剤、及び第２、第３の潤滑剤室３３、３４内の潤滑剤に遠心力が加わるので、第３の潤滑剤室３４に十分な量の潤滑剤を供給することができず、ベアリングｂ７、ｂ８を十分に潤滑することができない。その結果、ベアリングｂ７、ｂ８が早期に摩耗し、ベアリングｂ７、ｂ８の耐久性が低下してしまう。
【００１７】
また、定期的に射出成形機を停止させ、潤滑剤に遠心力が加わらない状態で給脂を行うことも考えられるが、その場合、射出成形機の稼働率が低下してしまう。
【００１８】
そして、潤滑剤が潤滑剤供給路１０２、第１の潤滑剤室３２、潤滑剤供給路１０３、第２の潤滑剤室３３及び潤滑剤供給路１０４を介して第３の潤滑剤室３４に供給されるようになっているので、潤滑剤を第３の潤滑剤室３４まで供給するために、潤滑剤供給口１０１に多量の潤滑剤を供給する必要がある。そして、粘性が低い潤滑剤を使用すると、第３の潤滑剤室３４内の潤滑剤が矢印方向にベアリングｂ８を抜けて漏れ出してしまい、その分多くの潤滑剤を第３の潤滑剤室３４に供給する必要がある。その結果、射出装置のコストが高くなってしまう。
【００１９】
そこで、連結体６４に潤滑剤供給路を形成し、該潤滑剤供給路を介して第３の潤滑剤室３４に潤滑剤を供給することが考えられるが、連結体６４も回転するので、潤滑剤供給路に潤滑剤を供給するのが困難である。
【００２０】
本発明は、前記従来の射出装置の問題点を解決して、支持部材の耐久性を向上させることができ、コストを低くすることができる潤滑装置を提供することを目的とする。
【００２１】
【課題を解決するための手段】
そのために、本発明の潤滑装置においては、駆動部と、該駆動部を駆動することによって回転させられ、筒状部を備えた第１の回転体と、前記筒状部に一端が収納され、前記第１の回転体に対して回転自在に配設された第２の回転体と、前記第１の回転体に対して第２の回転体を支持する支持部材と、該支持部材を潤滑する潤滑剤を収容する潤滑剤室と、該潤滑剤室に潤滑剤を供給するための潤滑剤供給路と、前記潤滑剤室を密封する密封部材とを有する。
【００２２】
本発明の他の潤滑装置においては、さらに、前記支持部材は前記第１の回転体の軸方向において複数配設される。
【００２３】
本発明の更に他の潤滑装置においては、さらに、前記潤滑剤室は、前記第２の回転体の端部に配設された支持部材と前記第１の回転体との間に第１の潤滑剤室として形成される。
【００２４】
本発明の更に他の潤滑装置においては、さらに、前記潤滑剤室は、前記支持部材間に第２の潤滑剤室として形成される。
【００２５】
本発明の更に他の潤滑装置においては、さらに、前記第１の回転体は、連結体及び筒状の支持体から成り、第１の潤滑剤室は、前記連結体と第２の回転体の端部に配設された支持部材と第２の回転体との間に形成される。
【００２６】
本発明の更に他の潤滑装置においては、さらに、前記第１の回転体は、連結体及び筒状の支持体から成り、第２の潤滑剤室は、前記支持体と複数の支持部材と第２の回転体との間に形成される。
【００２７】
本発明の更に他の潤滑装置においては、さらに、前記密封部材は、前記第１の回転体と前記第２の回転体との間に配設される。
【００２８】
本発明の更に他の潤滑装置においては、さらに、前記潤滑剤室への潤滑剤の供給口は、前記第１の回転体に形成される。
【００２９】
【発明の実施の形態】
以下、本発明の実施の形態について図面を参照しながら詳細に説明する。
【００３０】
図１は本発明の実施の形態における射出装置の要部を示す断面図、図３は本発明の実施の形態における射出装置の概念図である。
【００３１】
図において、１１はシリンダ部材としての加熱シリンダ、１２は該加熱シリンダ１１内において回転自在に、かつ、進退（図において左右方向に移動）自在に配設された射出部材としてのスクリューであり、前記加熱シリンダ１１の前端に図示されない射出ノズルが取り付けられ、該射出ノズルにノズル口が形成される。前記スクリュー１２は、スクリュー本体、及び該スクリュー本体の前端に取り付けられた図示されないスクリューヘッドを備え、スクリュー本体の外周面に図示されないフライトが螺旋状に形成され、該フライトによって螺旋状の溝が形成される。
【００３２】
前記加熱シリンダ１１の後端（図において右端）は、前支持体としての前方射出サポート２１に取り付けられ、該前方射出サポート２１と所定の距離を置いて後支持体としての後方射出サポート６２が配設される。そして、前記前方射出サポート２１と後方射出サポート６２との間に連結部材としてのロッド６３が架設され、該ロッド６３によって前記前方射出サポート２１と後方射出サポート６２との間に所定の距離が保持される。また、前方射出サポート２１、後方射出サポート６２及びロッド６３によって射出枠が構成される。
【００３３】
そして、前記スクリュー１２の後端には、カプラ５９を介して円形の形状を有する連結体６４が一体的に取り付けられ、筒状の形状を有する筒状部としての支持体６５が図示されないボルトを介して前記連結体６４に取り付けられる。なお、前記連結体６４及び支持体６５によって、スクリュー１２と一体に回転する第１の回転体としての回転摺動部材６８が構成される。前記支持体６５は軸方向においてスクリュー１２のストローク分の長さを有し、外周面に雄スプライン６７が形成される。
【００３４】
前記回転摺動部材６８に回転を伝達するために、前記前方射出サポート２１の後方（図において右方）に、前方射出サポート２１と一体に、かつ、前記回転摺動部材６８の外周面を覆い、第１の駆動部及び回転力拘束部としての電動の計量用モータ２２が配設され、該計量用モータ２２は、計量工程において第１の駆動状態に、射出工程において第２の駆動状態に置かれ、第１の駆動状態において前記回転摺動部材６８を回転させ、第２の駆動状態において前記回転摺動部材６８に伝達される回転を拘束する。
【００３５】
前記計量用モータ２２は、前方射出サポート２１に固定された前部環状体２０、該前部環状体２０に固定されたスリーブ２３、該スリーブ２３の後端に取り付けられた後部環状体２４、前記スリーブ２３の径方向において内側に取り付けられたステータ２５、及び該ステータ２５の径方向において内方に配設された筒状のロータ２６を備え、該ロータ２６の後端に、図示されないボルトによってスプラインナット２７が取り付けられる。
【００３６】
前記ステータ２５は、スリーブ２３に取り付けられたコア２５ａ、及び該コア２５ａに巻装されたコイル２５ｂを備える。また、前記ロータ２６は、回転摺動部材６８と同一軸線上に、かつ、回転摺動部材６８を相対的に移動自在に外周面を覆うように配設された中空の筒状体２９、及び該筒状体２９の外周面における前記ステータ２５と対応する箇所に取り付けられた磁石２８を備え、計量用モータ２２の出力軸として機能し、前記前方射出サポート２１に対してベアリングｂ１によって、後部環状体２４に対してベアリングｂ２によって回転自在に支持される。
【００３７】
この場合、前記前部環状体２０、スリーブ２３及び後部環状体２４によって、前記前方射出サポート２１と一体に形成されたケースが構成される。したがって、前方射出サポート２１及び計量用モータ２２を一体化することができるので、射出装置を小型化することができる。また、計量用モータ２２を駆動することによって筒状体２９に発生させられた回転を、直接、回転摺動部材６８に伝達することができる。
【００３８】
前記スプラインナット２７は、回転摺動部材６８の軸方向における相対的な移動を許容しながら、前記計量用モータ２２の第１の駆動状態において発生させられた回転を回転摺動部材６８に伝達し、前記計量用モータ２２の第２の駆動状態において発生させられた拘束力を回転摺動部材６８に伝達し、回転摺動部材６８が回転するのを拘束する。そのために、該回転摺動部材６８は、前記スプラインナット２７に対して回転不能に、かつ、軸方向に移動自在に配設される。また、前記筒状体２９の前端（図において左端）において、筒状体２９の内周面と連結体６４の外周面とが環状のシール３０を介して摺動自在に接触させられる。そして、前記支持体６５の後端において、スプラインナット２７の内周面に形成された雌スプラインと前記雄スプライン６７とが摺動自在にスプライン係合させられる。
【００３９】
したがって、前記計量用モータ２２を第１の駆動状態において駆動することによってロータ２６を回転させると、回転がスプラインナット２７を介して前記回転摺動部材６８に伝達され、該回転摺動部材６８が正方向、又は、必要に応じて逆方向に回転させられ、スクリュー１２が回転させられる。さらに、前記計量用モータ２２を第２の駆動状態に置き、拘束力を発生させ、ロータ２６を停止させると、回転摺動部材６８に伝達される回転が拘束され、スクリュー１２の回転も拘束される。
【００４０】
そして、前記前方射出サポート２１より後方に、互いに螺合させられた第２の回転体及び第１の変換要素としてのボールねじ軸８１及び第２の変換要素としてのボールナット８２から成る運動方向変換部としてのボールねじ８３が配設される。前記ボールねじ軸８１は、回転する第２の回転体であり、前端（図において左端）から後端にかけて順次形成された小径のシャフト部８４、大径のねじ部８５、連結部８６及びスプライン部８７から成る。なお、前記シャフト部８４とねじ部８５との段部に環状フランジ部材８９が外嵌される。
【００４１】
本実施の形態においては、運動方向変換部としてボールねじ８３が使用され、第１の変換要素してボールねじ軸８１が、第２の変換要素としてボールナット８２が使用されるようになっているが、運動方向変換部としてローラねじを使用し、第１の変換要素してローラねじ軸を、第２の変換要素としてローラナットを使用することもできる。
【００４２】
そして、第２の駆動部としての電動の射出用モータ１００が配設され、該射出用モータ１００は、射出工程において駆動状態に置かれる。前記射出用モータ１００は、後方射出サポート６２に固定され、前部環状体９１ａ、スリーブ９１ｂ、後部環状体９１ｃ及び後部プレート９１ｄから成るケース９１、該ケース９１の内側に取り付けられたステータ９２、該ステータ９２の径方向における内方に配設されたロータ９３、該ロータ９３に取り付けられた中空の出力軸９４、該出力軸９４の後端に図示されないボルトによって取り付けられ、出力軸９４の内周面に沿って前方（図において左方）に延びるスリーブ９５、及び前記出力軸９４を前記ケース９１に対して回転自在に支持するベアリングｂ５、ｂ６を備え、スリーブ９５に、射出用モータ１００の回転速度を検出するエンコーダ１１１が取り付けられ、該エンコーダ１１１の検出信号に基づいて射出用モータ１００のフィードバック制御が行われる。
【００４３】
そして、前記スプライン部８７の外周面の全体にわたって形成された雄スプライン８７ａと前記スリーブ９５の前端部（図において左端部）の内周面に形成されたスプラインナット部の雌スプライン９５ａとがスプライン係合させられる。
【００４４】
また、前記スリーブ９５及びスプライン部８７によって回転力伝達部が構成され、前記スリーブ９５及びスプライン部８７は、前記射出用モータ１００が駆動されたときに、出力軸９４に対するボールねじ軸８１の軸方向における相対的な移動を許容しながら、前記射出用モータ１００を駆動することによって発生させられた回転をねじ部８５に伝達する。そして、前記ボールねじ８３は、前記射出用モータ１００によって発生させられた回転による回転運動を直進運動に変換し、該直進運動を前記回転摺動部材６８に伝達する。
【００４５】
また、前記ボールねじ軸８１は、前端において、スラストベアリングから成り、前記回転摺動部材６８の軸方向において複数配設された第１、第２の支持部材としてのベアリングｂ７、ｂ８によって回転摺動部材６８に対して回転自在に、かつ、軸方向に移動不能に支持され、筒状の支持体６５に収納される。そして、後端において、ボールナット８２に対して回転自在に螺合させられ、支持される。すなわち、前記回転摺動部材６８は、前記ボールねじ８３に対して回転自在に、かつ、軸方向に移動不能に配設される。そして、前記ボールナット８２は後方射出サポート６２に固定される。なお、前記シャフト部８４の前端部に図示されない雄ねじが形成され、該雄ねじに螺合させてベアリングナット８０が配設される。該ベアリングナット８０は、支持体６５の前端の近傍の内周面に形成された突起９０と共にベアリングｂ７を位置決めする。また、前記環状フランジ部材８９は、支持体６５と共にベアリングｂ８を位置決めする。
【００４６】
ところで、前記射出用モータ１００を正方向及び逆方向に駆動することによって発生させられた回転が、スリーブ９５及びスプライン部８７を介してボールねじ軸８１に伝達されると、該ボールねじ軸８１は、ねじ部８５とボールナット８２とが螺合させられているので、回転しながら進退させられる。なお、前記ボールねじ軸８１の運動成分は、ボールねじ軸８１を進退させる直進運動成分、及びボールねじ軸８１を回転させる回転運動成分から成り、前記直進運動成分及び回転運動成分は、軸方向に配設されたベアリングｂ７、ｂ８を介して回転摺動部材６８に伝達される。なお、ベアリングｂ１、ｂ２、ｂ７、ｂ８によって第３〜第６の支持部材が構成される。
【００４７】
そして、回転摺動部材６８を回転させることなく、進退させる射出工程等においては、前記計量用モータ２２を第２の駆動状態、すなわち、回転拘束状態に置き、前記射出用モータ１００を駆動状態に置くことによって、回転摺動部材６８に伝達される回転を拘束し、回転摺動部材６８を回転させることなく軸方向に移動させることができる。その結果、回転摺動部材６８に一体的に取り付けられたスクリュー１２に直進運動が伝達され、スクリュー１２を前進（図において左方に移動）させることができる。
【００４８】
次に、前記構成の射出装置の駆動方法について説明する。
【００４９】
まず、計量工程時に、図示されない制御部の計量処理手段は、計量処理を行い、前記計量用モータ２２を第１の駆動状態に置いて駆動する。このとき、ロータ２６に発生させられた回転は、スプラインナット２７及び回転摺動部材６８を介してスクリュー１２に伝達され、該スクリュー１２を正方向に回転させる。この場合、図示されないエンコーダによって計量用モータ２２の回転速度が検出され、検出信号に基づいて制御部においてフィードバック制御が行われる。
【００５０】
これに伴って、前記加熱シリンダ１１に配設された図示されないホッパから落下した樹脂が前記スクリュー１２の溝内を前進させられ、スクリュー１２が後退（図において右方に移動）させられ、溶融させられた樹脂がスクリューヘッドの前方に蓄えられる。このとき、スクリュー１２に発生させられる後退力に伴って、回転摺動部材６８はスプラインナット２７に対して相対的に移動させられ、後退させられる。また、回転摺動部材６８の後退に伴って、ボールねじ軸８１も回転しながら後退させられる。なお、前記計量処理手段は、スクリュー１２が後退させられる間、前記射出用モータ１００を駆動し、スクリュー１２に背圧を加える。
【００５１】
また、射出工程時に、前記制御部の射出処理手段は、射出処理を行い、前記射出用モータ１００を駆動する。このとき、出力軸９４に発生させられた回転は、スリーブ９５及びスプライン部８７を介してボールねじ軸８１に伝達され、ボールねじ８３によって回転運動が直進運動に変換される。その結果、ボールねじ軸８１が回転しながら前進させられる。また、前記射出処理手段は、前記計量用モータ２２を第２の駆動状態に置いて駆動し、ロータ２６の回転速度を制御して０〔ｒｐｍ〕にすることによって拘束力を発生させる。そして、該拘束力が前記スプラインナット２７を介して回転摺動部材６８に伝達され、ボールねじ軸８１を介して回転摺動部材６８に伝達された回転が拘束される。その結果、回転摺動部材６８に一体的に取り付けられたスクリュー１２は回転しない状態で前進させられる。
【００５２】
この場合、エンコーダ１１１によって射出用モータ１００の回転速度が検出され、検出信号に基づいて制御部においてフィードバック制御が行われる。そして、図示されないロードセルによって射出力が検出され、検出信号が前記制御部に送られ、制御部において充填・保圧の切換制御が行われる。また、前記エンコーダ１１１によって計量用モータ２２の回転速度が検出され、検出信号に基づいて制御部においてフィードバック制御が行われる。
【００５３】
このようにして、前記スクリュー１２が前進させられると、スクリューヘッドの前方に蓄えられ、溶融させられた樹脂は、射出ノズルから射出され、図示されない金型装置のキャビティ空間に充填される。このとき、スクリューヘッドの前方に蓄えられ、溶融させられた樹脂が逆流しないように、スクリューヘッドの周囲に図示されない逆流防止装置が配設される。
【００５４】
ところで、スプラインナット２７と支持体６５との間のスプライン係合部、ベアリングｂ７、ｂ８等をグリス等の潤滑剤によって潤滑するようになっている。そのために、前記前方射出サポート２１にスクリュー１２の保守用の図示されない窓が形成され、該窓を介して、潤滑剤供給具としての図示されないグリスガンを前方射出サポート２１内に挿入し、回転摺動部材６８と筒状体２９との間から前記スプライン係合部に潤滑剤を供給することができるようになっている。
【００５５】
また、前記回転摺動部材６８の所定の箇所、本実施の形態においては、連結体６４の前端面（図において左端面）に、潤滑剤を供給するための潤滑剤供給口１１５及び潤滑剤確認口１１６が形成される。そして、前記連結体６４の後端面（図において右端面）に前記ベアリングナット８０を収容する凹部が形成され、前記連結体６４、ベアリングナット８０及びベアリングｂ７間（ボールねじ軸８１の端部に配設されたベアリングｂ７と回転摺動部材６８との間）に、潤滑剤を収容する第１の潤滑剤室１１７が形成され、前記潤滑剤供給口１１５と第１の潤滑剤室１１７とが連結体６４に形成された潤滑剤供給路１１８によって接続される。
【００５６】
また、回転摺動部材６８、ボールねじ軸８１、及びベアリングｂ７、ｂ８間に、潤滑剤を収容する第２の潤滑剤室１１９が形成され、前記潤滑剤確認口１１６と第２の潤滑剤室１１９とが連結体６４及び支持体６５に形成された潤滑剤確認路１２１によって接続される。そして、前記ベアリングｂ８の後方には、回転摺動部材６８と環状フランジ部材８９との間に、前記第２の潤滑剤室１１９から漏れ出た潤滑剤をボールねじ８３側に漏れないようにするための第１の密封部材としてのオイルシール１２２が配設される。
【００５７】
なお、第１の密封部材としてのオイルシール１２２に代えて接触式シール（ベアリングシール）、メカニカルシール等を使用することができる。
【００５８】
前記窓を介して、グリスガンを前方射出サポート２１内に挿入し、潤滑剤供給口１１５にグリスニップル１２３を介して潤滑剤を供給すると、該潤滑剤は、矢印方向に潤滑剤供給路１１８を介して第１の潤滑剤室１１７に供給され、ベアリングｂ７を潤滑した後、第２の潤滑剤室１１９に供給され、更にベアリングｂ８を潤滑する。そして、潤滑剤は、第２の潤滑剤室１１９を満たすと、潤滑剤確認路１２１を介して矢印方向に流れ、潤滑剤確認口１１６から排出されるので、作業者は、潤滑剤確認口１１６から潤滑剤が排出されるのを目視して、第１、第２の潤滑剤室１１７、１１９に潤滑剤が充満させられたことを認識する。このように、前記第１、第２の潤滑剤室１１７、１１９に潤滑剤が充満させられると、第２の密封部材としてのプラグ１２４によって前記潤滑剤確認路１２１が塞（ふさ）がれ、前記第２の潤滑剤室１１９が密封される。
【００５９】
なお、前記ベアリングｂ８の後方には、オイルシール１２２がベアリングｂ８に隣接させて配設されるので、ベアリングｂ８を潤滑した潤滑剤が漏れ出すのを防止することができる。また、計量用モータ２２、回転摺動部材６８、ボールねじ軸８１、ベアリングｂ７、ｂ８、第１、第２の潤滑剤室１１７、１１９、オイルシール１２２、潤滑剤供給口１１５、潤滑剤確認口１１６、潤滑剤供給路１１８、潤滑剤確認路１２１、プラグ１２３、１２４等によって潤滑装置が構成される。
【００６０】
前記第１、第２の潤滑剤室１１７、１１９が密閉されるので、回転摺動部材６８、ボールねじ軸８１等が回転させられるのに伴って、潤滑剤供給路１１８及び潤滑剤確認路１２１内の潤滑剤、並びに第１、第２の潤滑剤室１１７、１１９内の潤滑剤に遠心力が加わっても、ベアリングｂ７、ｂ８を十分に潤滑することができる。その結果、ベアリングｂ７、ｂ８が早期に摩耗することがなくなり、射出装置の耐久性を向上させることができる。
【００６１】
また、射出装置の組立て時に、潤滑剤に遠心力が加わらない状態で給脂を行った後は、第１、第２の潤滑剤室１１７、１１９内の潤滑剤が消耗されない限り、給脂を行う必要がなく、連続的に射出成形機を運転することができるので、射出成形機の稼働率を向上させることができる。
【００６２】
そして、第２の潤滑剤室１１９はベアリングｂ７、ｂ８間に形成され、潤滑剤が潤滑剤供給路１１８及び第１の潤滑剤室１１７を介して第２の潤滑剤室１１９に供給されるようになっているので、潤滑剤を第２の潤滑剤室１１９まで供給するために、潤滑剤供給口１１５に多量の潤滑剤を供給する必要がない。そして、粘性が低い潤滑剤を使用しても、オイルシール１２２がベアリングｂ８に隣接させて配設され、ベアリングｂ８を潤滑した潤滑剤が漏れ出すのを防止するので、多くの潤滑剤を第２の潤滑剤室１１９に供給する必要がない。その結果、潤滑装置のコストを低くすることができる。
【００６３】
なお、本発明は前記実施の形態に限定されるものではなく、本発明の趣旨に基づいて種々変形させることが可能であり、それらを本発明の範囲から排除するものではない。
【００６４】
【発明の効果】
以上詳細に説明したように、本発明によれば、潤滑装置においては、駆動部と、該駆動部を駆動することによって回転させられ、筒状部を備えた第１の回転体と、前記筒状部に一端が収納され、前記第１の回転体に対して回転自在に配設された第２の回転体と、前記第１の回転体に対して第２の回転体を支持する支持部材と、該支持部材を潤滑する潤滑剤を収容する潤滑剤室と、該潤滑剤室に潤滑剤を供給するための潤滑剤供給路と、前記潤滑剤室を密封する密封部材とを有する。
【００６５】
この場合、潤滑剤室に潤滑剤が供給され、潤滑剤室が密封されるので、第１、第２の回転体が回転させられるのに伴って、潤滑剤室内の潤滑剤に遠心力が加わっても、支持部材を十分に潤滑することができる。その結果、支持部材が早期に摩耗することがなくなり、支持部材の耐久性を向上させることができる。
【００６６】
また、潤滑剤に遠心力が加わらない状態で給脂を行った後は、潤滑剤室内の潤滑剤が消耗されない限り、給脂を行う必要がなくなる。
【００６７】
そして、密封部材が配設されるので、粘性が低い潤滑剤を使用しても、支持部材を潤滑した潤滑剤が漏れ出すのが防止されるので、多くの潤滑剤を潤滑剤室に供給する必要がなく、潤滑装置のコストを低くすることができる。
【図面の簡単な説明】
【図１】本発明の実施の形態における射出装置の要部を示す断面図である。
【図２】射出装置の要部を示す断面図である。
【図３】本発明の実施の形態における射出装置の概念図である。
【符号の説明】
２２　　計量用モータ
６４　　連結体
６５　　支持体
６８　　回転摺動部材
８１　　ボールねじ軸
１１５　　潤滑剤供給口
１１６　　潤滑剤確認口
１１７、１１９　　第１、第２の潤滑剤室
１１８　　潤滑剤供給路
１２１　　潤滑剤確認路
１２２　　オイルシール
１２３、１２４　　プラグ
ｂ７、ｂ８　　ベアリング
【図１】
2004092842.tif 000003
【図２】
2004092842.tif 000004
【図３】
2004092842.tif 000005